(57)【要約】【課題】本明細書は、雄コネクタと雌コネクタが嵌合するコネクタ構造において、平行に延びる雄端子と雌端子の熱膨張／収縮による摺動距離を短くするための技術を提供する。【解決手段】雄コネクタ１０は、一端１１ａが固定箇所１４で雄ハウジング１５に固定されており、他端１１ｂが雄ハウジング１５に固定されていない板状の雄端子１１を備えている。雌コネクタ５０は、雄端子１１と平行に延びている雌端子５１であって、一端５１ａが固定部材５４で雌ハウジング５５に固定されており、他端５１ｂが雌ハウジング５５に固定されていない雌端子５１を備えている。そして、雌端子５１に雄端子１１と接触する凸部５３が設けられており、雄コネクタ１０と雌コネクタ５０が嵌合したときに、固定箇所１４と固定部材５４が、凸部５３から見て同一の側に位置している。【選択図】図３
2018018594.tif 000002
【特許請求の範囲】
【請求項１】
雄コネクタと雌コネクタが嵌合するコネクタ構造であって、
前記雄コネクタは、一端が第１固定箇所で雄ハウジングに固定されており、他端が前記雄ハウジングに固定されていない板状の雄端子を備えており、
前記雌コネクタは、前記雄コネクタと嵌合したときに前記雄端子と平行に延びている雌端子であって、一端が第２固定箇所で雌ハウジングに固定されており、他端が前記雌ハウジングに固定されていない前記雌端子を備えており、
前記雌端子と前記雄端子の一方に他方と接触する凸部が設けられており、
前記雄コネクタと前記雌コネクタが嵌合したときに、前記第１固定箇所と前記第２固定箇所が、前記凸部から見て同一の側に位置している、コネクタ構造。
【請求項２】
雄コネクタと雌コネクタが嵌合するコネクタ構造であって、
前記雄コネクタは、一端が固定箇所で雄ハウジングに固定されており、他端が前記雄ハウジングに固定されていない板状の雄端子を備えており、
前記雌コネクタは、前記雄コネクタと嵌合したときに前記雄端子と平行に延びている雌端子であって、一端が弾性部材を介して雌ハウジングに固定されており、他端（自由端）が前記雌ハウジングに固定されていない前記雌端子を備えており、
前記雌端子と前記雄端子の一方に他方と接触する凸部が設けられており、
前記雄コネクタと前記雌コネクタが嵌合したときに、前記固定箇所と前記弾性部材が、前記凸部から見て互いに反対側に位置しているとともに、前記自由端が前記雄ハウジングに当接しているコネクタ構造。
【発明の詳細な説明】
【技術分野】
【０００１】
本明細書が開示する技術は、電気（信号あるいは電力）の伝送経路を接続するコネクタ構造に関する。
【背景技術】
【０００２】
２つの部材の電気の伝送経路を接続するためにコネクタ構造が利用される。コネクタ構造では、一対一に対応する２つのコネクタが嵌合することにより、２つの部材の伝送経路が接続される。例えば、特許文献１には、カード部材とカードエッジコネクタが嵌合するコネクタ構造が開示されている。カード部材は、基板と、当該基板と電気的に接続されているカードエッジ端子を備えている。カードエッジ端子は、カード部材の平坦面上に設けられているとともに、カード部材の端縁に配置されている。カードエッジコネクタは、カードエッジ端子と平行に延びているコンタクト端子と、コンタクト端子を収容しているハウジングと、を備えている。コンタクト端子の一端には、ワイヤが接続されており、他端には、カードエッジ端子の平坦面と接触する接触部が設けられている。接触部は、ハウジング側面に設けられている開口部内に配置されている。カード部材の端縁が開口部に挿入されると、カード部材とカードエッジコネクタが嵌合し、カードエッジ端子の平坦面とコンタクト端子の接触部が接触する。これにより、カード部材の基板とカードエッジコネクタのワイヤの伝送経路が接続される。
【０００３】
カード部材の基板とカードエッジコネクタのハウジングは、コネクタ構造を使用する環境温度の変化により、熱膨張／収縮を繰り返す。基板が、カード部材の端縁に沿った幅方向に沿って膨張すると、基板の膨張に付随してカードエッジ端子も幅方向に移動する。一方、ハウジングが、幅方向に沿って膨張すると、ハウジングの膨張に付随してコンタクト端子も幅方向に移動する。基板の線膨張係数とハウジングの線膨張係数が異なる場合、カードエッジ端子が移動する距離と、コンタクト端子が移動する距離とが異なる。このため、接触部は、カードエッジ端子に対して摺動する。端子同士の摺動は接触抵抗を増大させるので好ましくない。特許文献１の技術では、両方の線膨張係数を同一にすることにより、カードエッジ端子が移動する距離と、コンタクト端子が移動する距離と、を同一にして、接触部がカードエッジ端子に対して摺動することを防止する。
【先行技術文献】
【特許文献】
【０００４】
【特許文献１】特開２０１５−１８５２１０号公報
【発明の概要】
【発明が解決しようとする課題】
【０００５】
特許文献１は、カード部材の基板とカードエッジコネクタのハウジングの熱膨張／収縮を考慮してカードエッジ端子とコンタクト端子の摺動を防止する。しかし、特許文献１１では、カードエッジ端子自体及びコンタクト端子自体の熱膨張／収縮を考慮していない。例えば、カードエッジ端子及びコンタクト端子の両方が挿入方向に沿って膨張することが想定される。例えば、カードエッジ端子が、端縁がカードエッジコネクタ側に移動するように延び、コンタクト端子が、接触部がカード部材側に移動するように延びると、接触部と接触部が接触しているカードエッジ端子側の接触箇所は、互いに反対方向に移動する。このため、特許文献１の技術では、両端子が熱膨張／収縮によって摺動する距離（摺動距離）が長くなってしまう。
【０００６】
本明細書は、雄コネクタと雌コネクタが嵌合するコネクタ構造において、平行に延びる雄端子と雌端子の熱膨張／収縮による摺動距離を短くするための技術を提供する。
【課題を解決するための手段】
【０００７】
本明細書では、雄コネクタと雌コネクタが嵌合するコネクタ構造として、２つの態様を開示する。一方の態様では、雄コネクタは、一端が第１固定箇所で雄ハウジングに固定されており、他端が雄ハウジングに固定されていない板状の雄端子を備えている。雌コネクタは、雄コネクタと雌コネクタが嵌合したときに雄端子と平行に延びている雌端子であって、一端が第２固定箇所で雌ハウジングに固定されており、他端が雌ハウジングに固定されていない雌端子を備えている。そして、雌端子と雄端子の一方に他方と接触する凸部が設けられており、雄コネクタと雌コネクタが嵌合したときに、第１固定箇所と第２固定箇所が、凸部から見て同一の側に位置している。
【０００８】
この構成によれば、雄端子は、膨張により、雄ハウジングに固定されていない他端が第１固定箇所から遠ざかるように延びる。一方、雄端子と平行な雌端子も、膨張により、雌ハウジングが固定されていない他端が第２固定箇所から遠ざかるように延びる。この場合、一方の凸部及び凸部が接触する他方の接触箇所も、それぞれ、第１固定箇所及び第２固定箇所から遠ざかるように移動する。ここで、第１固定箇所と第２固定箇所が、凸部から見て同一側に位置しているので、凸部及び接触箇所は同一方向に移動する。したがって、凸部及び接触箇所が互いに反対方向に移動する場合と比較して、凸部が接触箇所に対して相対的に移動する距離を低減することができる。即ち、平行に延びる雄端子と雌端子の熱膨張／収縮による摺動距離を短くすることができる。
【０００９】
他方の態様では、雄コネクタは、一端が固定箇所で雄ハウジングに固定されており、他端が雄ハウジングに固定されていない板状の雄端子を備えている。雌コネクタは、雄コネクタと雌コネクタが嵌合したときに雄端子と平行に延びている雌端子であって、一端が弾性部材を介して雌ハウジングに固定されており、他端（自由端）が雌ハウジングに固定されていない雌端子を備えている。そして、雌端子と雄端子の一方に他方と接触する凸部が設けられており、雄コネクタと雌コネクタが嵌合したときに、第１固定箇所と弾性部材が、凸部から見て互いに反対側に位置しているとともに、自由端が雄ハウジングに当接している。
【００１０】
この構成によれば、雄端子は、膨張により、雄ハウジングに固定されていない他端が固定箇所から遠ざかるように延びる。一方、雌端子は、自由端が雄ハウジングに当接しているので、弾性部材を介して雌ハウジングに固定されている一端が固定箇所から遠ざかるように延びる。この場合、凸部及び接触箇所は、共に固定箇所か遠ざかるように同一方向に移動する。このため、凸部及び接触箇所が互いに反対方向に移動する場合と比較して、凸部が接触箇所に対して相対的に移動する距離を低減することができる。即ち、この構成でも、一方の態様と同様の効果を奏することができる。
【００１１】
本明細書が開示する技術の詳細とさらなる改良は以下の「発明を実施するための形態」にて説明する。
【図面の簡単な説明】
【００１２】
【図１】第１実施例のコネクタ構造の雄端子の断面図である。
【図２】第１実施例のコネクタ構造の雌端子の断面図である。
【図３】第１実施例の嵌合した雄端子及び雌端子の断面図である。
【図４】第２実施例のコネクタ構造の雄端子の断面図である。
【図５】第２実施例のコネクタ構造の雌端子の断面図である。
【図６】第２実施例の嵌合した雄端子及び雌端子の断面図である。
【図７】第３実施例のコネクタ構造の雄端子の断面図である。
【図８】第３実施例のコネクタ構造の雌端子の断面図である。
【図９】第３実施例の嵌合した雄端子及び雌端子の断面図である。
【発明を実施するための形態】
【００１３】
（第１実施例）
図面を参照して第１実施例のコネクタ構造を説明する。本実施例のコネクタ構造は、雄コネクタ１０と雌コネクタ５０で構成される。このコネクタ構造は、電気自動車やハイブリッド車などの車載デバイスのケーブル接続に用いられる。図１は、雄コネクタ１０の断面図である。図２は、雌コネクタ５０の断面図である。雄コネクタ１０と雌コネクタ５０が嵌合することにより、雄コネクタ１０に接続されている雄側ケーブルと雌コネクタ５０に接続されている雌側ケーブルの電気の伝送経路が接続される。図面にはＸＹＺ座標系が記されており、本明細書では、適宜その座標系を用いて実施例の構成を説明する。雄コネクタ１０と雌コネクタ５０が嵌合する場合に、雄コネクタ１０と雌コネクタ５０において、互いに対向している側の端部を「先端」と称する場合がある。雄コネクタ１０において、Ｘ軸正方向の端部が先端であり、雌コネクタ５０において、Ｘ軸負方向の端部が先端である。また、図面に示す断面図は、Ｚ軸方向から見た断面図である。本明細書で参照する図は、全て同一方向のＺ軸から見た断面図である。
【００１４】
図１を参照して、雄コネクタ１０について説明する。雄コネクタ１０は、雄端子１１と、雄ハウジング１５と、雄ケース１６と、を備えている。雄端子１１は、金属製の導体であり、Ｘ軸方向に延びる板状の端子である。雄端子１１のＸ軸方向における一端１１ａは、雄ハウジング１５に埋め込まれている。一端１１ａには、雄側ケーブル（不図示）が接続されている。一方、他端１１ｂは、雄ハウジング１５の内側面１５ｂから突出している。一端１１ａは、雄ハウジング１５に固定されており、他端１１ｂは、雄ハウジング１５に固定されていない。別言すれば、雄端子１１は、雄ハウジング１５の内側面１５ｂに位置する固定箇所１４で雄ハウジング１５に固定されている片持ち梁である。
【００１５】
雄ハウジング１５及び雄ケース１６は、樹脂製の絶縁体である。雄ハウジング１５は、後述する雌ハウジング５５が挿入される筒状の収容部１５ａを備えている。収容部１５ａは、先端側（即ち、Ｘ軸正方向側）に開口しているとともに、Ｘ軸負方向で内側面１５ｂにより閉じられている。
【００１６】
雄ケース１６は、雄ハウジング１５を収容しているとともに、雄ハウジング１５を固定している。雄ケース１６のＹ軸正方向の側壁には、当該側壁を貫通する貫通孔１７が設けられている。貫通孔１７は、さらに、雄ハウジング１５も貫通している。そして、貫通孔１７は、収容部１５ａ内の空間と連通している。
【００１７】
図２を参照して、雌コネクタ５０について説明する。雌コネクタ５０は、雌端子５１と、雌ハウジング５５と、雌ケース５６と、を備えている。雌端子５１は、雄端子１１と同一材料の金属製の導体であり、Ｘ軸方向に延びる端子である。後に図３に図示するように、雄コネクタ１０と雌コネクタ５０が嵌合したとき、雌端子５１は、雄端子１１と平行に延びるようになる。雌端子５１のＸ軸方向における一端５１ａは、雌コネクタ５０の先端側（即ち、Ｘ軸負方向側）に位置している。一端５１ａは、固定部材５４（例えば、金属製のねじ等）が配置されている位置まで折り曲げられている。一端５１ａは、固定部材５４により、雌側ケーブル５２の一端とともに、雌ハウジング５５に共締めされている。
【００１８】
一方、他端５１ｂは、筒状に形成されている。以下では、他端５１ｂを、筒部５１ｂと称する。筒部５１ｂのＹ軸正方向側の内側面５１ｃには、凸部５３が設けられている。凸部５３は、筒部５１ｂの内側面５１ｃを含む側壁の一部を端縁で筒部５１ｂの内側へと折り曲げることで形成される。内側面５１ｃと対向する筒部５１ｂの他の内側面と凸部５３との間に、雄端子１１の他端１１ｂが挿入される。なお、筒部５１ｂは、雌ハウジング５５に嵌合しているが、熱膨張／収縮の際にＸ方向に伸び縮みする余地があり、雌ハウジング５５に固定されてはいない。
【００１９】
図２に示すように、一端５１ａを雌ハウジング５５に固定する固定部材５４は、他端５１ｂから見て、雌コネクタ５０の先端側に位置している。
【００２０】
雌ハウジング５５及び雌ケース５６は、樹脂製の絶縁体である。雌ハウジング５５は、雄ハウジング１５の収容部１５ａに挿入される挿入部５５ａを備えている。挿入部５５ａの内側に、雌端子５１が収容されている。挿入部５５ａの先端の側面には、雄端子１１の他端１１ｂが挿入される貫通孔５５ｂが設けられている。他端１１ｂは、貫通孔５５ｂを通過して、雌端子５１の筒部５１ｂに挿入される。
【００２１】
雌ケース５６は、雌ハウジング５５を収容しているとともに、雌ハウジング５５を固定している。雌ケース５６のＹ軸正方向の側壁には、当該側壁を貫通する貫通孔５７ａが設けられている。また、貫通孔５７ａと同軸の貫通孔５７ｂが、雌ハウジング５５に設けられている。
【００２２】
図３を参照して、雄コネクタ１０と雌コネクタ５０が嵌合した状態について説明する。図３に示すように、雄端子１１の他端１１ｂは、雌ハウジング５５の挿入部５５ａの貫通孔５５ｂを通過して、雌端子５１の筒部５１ｂ内に挿入される。そして、雄端子１１のＹ軸方向の側面と、凸部５３の頂部と、が接触する。図３では、雄端子１１と凸部５３との接触箇所に符号Ｐ１が付されている。
【００２３】
雄コネクタ１０と雌コネクタ５０が嵌合すると、雄コネクタ１０の固定箇所１４と、雌コネクタ５０の固定部材５４は、凸部５３から見て同一の側（即ち、Ｘ軸負方向の側）に位置する。そして、固定箇所１４から接触箇所Ｐ１までのＸ軸方向における距離Ｌ１は、固定部材５４のＸ軸方向における位置から接触箇所Ｐ１までのＸ軸方向における距離Ｌ２と、同じとなる。
【００２４】
また、雄コネクタ１０と雌コネクタ５０が嵌合すると、雄ケース１６及び雄ハウジング１５の貫通孔１７と、雌ケース５６の貫通孔５７ａと、雌ハウジング５５の貫通孔５７ｂと、が同軸に並ぶ。そして、これら貫通孔１７、５７ａ、５７ｂに、ねじ等の固定部材（不図示）が挿入される。これにより、雄ハウジング１５に対して雌ハウジング５５が固定される。
【００２５】
本実施例の効果について説明する。本実施例のコネクタ構造は車載デバイスのケーブル接続に利用されるため、その周辺温度は変化する。このため、雄端子１１及び雌端子５１は、熱膨張／収縮を繰り返す。雄端子１１は、膨張により、片持ち梁の固定されていない端部である他端１１ｂが、固定箇所１４から遠ざかるように、Ｘ軸正方向に延びる。一方、雌端子５１は、膨張により、雌ハウジング５５に固定されていない他端（即ち、筒部５１ｂ）が、固定部材５４から遠ざかるように、Ｘ軸正方向に延びる。雄端子１１及び雌端子５１が同一方向（即ち、Ｘ軸正方向）に延びるので、凸部５３及び凸部５３と接触している雄端子１１の接触箇所も、同一方向に移動する。したがって、凸部５３及び接触箇所が互いに反対方向に移動する場合と比較して、凸部５３が雄端子１１に対して相対的に移動する距離を低減することができる。即ち、雄端子１１と雌端子５１の熱膨張／収縮による摺動距離を短くすることができる。
【００２６】
また、雄端子１１の固定箇所１４から接触箇所Ｐ１まで間の部分の延び量は、距離Ｌ１と、雄端子１１の線膨張係数と、雄端子１１の温度上昇と、の積となる。このため、雄端子１１の接触箇所の固定箇所１４に対する移動量は、当該延び量に比例した量となる。一方、雌端子５１の固定部材５４の位置から接触箇所Ｐ１までの間の部分の延び量は、距離Ｌ２と、雌端子５１の線膨張係数と、雌端子５１の温度上昇と、の積となる。このため、凸部５３の固定部材５４に対する移動量は、当該延び量に比例した量となる。ここで、雄端子１１と雌端子５１は、同じ金属材料で形成されているので、雄端子１１の線膨張係数と雌端子５１の線膨張係数は、同じである。また、雄端子１１と雌端子５１が接触しているので、雄端子１１の温度上昇と雌端子５１の温度上昇も、同じである。そして、距離Ｌ１と距離Ｌ２も同じなので、雄端子１１の延び量と雌端子５１の延び量も同じとなる。このため、延び量に比例する移動量も同じとなるか、若しくは、その差は小さい。したがって、凸部５３が雄端子１１に対して相対的に移動する距離をさらに低減することができる。
【００２７】
また、雄コネクタ１０と雌コネクタ５０が嵌合したとき、雄ハウジング１５に対して雌ハウジング５５が固定される。雄ハウジング１５の固定箇所１４が、雌ハウジング５５の固定部材５４に対して相対的に移動することが規制される。これにより、雄端子１１及び雌端子５１の延びる方向を同一方向に適切に規制することができる。
【００２８】
（第２実施例）
図面を参照して第２実施例のコネクタ構造を説明する。本実施例のコネクタ構造は、雄コネクタ１１０と雌コネクタ１５０で構成される。
【００２９】
図４を参照して、雄コネクタ１１０について説明する。雄コネクタ１１０は、雄端子１１１と、雄ハウジング１１５と、雄ケース１１６と、を備えている。以下では、主に、第１実施例と異なる構成について説明する。
【００３０】
雄端子１１１は、第１実施例の雄端子１１と同様に、Ｘ軸方向に延びている。雄端子１１１のＸ軸方向における一端１１１ａは、雄ハウジング１１５の内側面１１５ｂに沿って折り曲げられている。そして、一端１１１ａは、固定部材１１４により、雄側ケーブル１１２の一端とともに、雄ハウジング１１５に共締めされている。一方、他端１１１ｂは、第１実施例と同様に、雄ハウジング１１５に固定されていない。
【００３１】
雄ハウジング１１５の収容部１１５ａには、一対のスナップフィット１１８ａ、１１８ｂが設けられている。一対のスナップフィット１１８ａ、１１８ｂは、それぞれ、収容部１１５ａのＹ軸方向における一対の内側面に配置されている。
【００３２】
雄ケース１１６のＹ軸正方向の側壁には、固定穴１１７が設けられている。固定穴１１７は、第１実施例と異なり、雄ハウジング１１５を貫通していない。
【００３３】
図５を参照して、雌コネクタ１５０について説明する。雌コネクタ１５０は、雌端子１５１と、雌ハウジング１５５と、雌ケース１５６と、を備えている。
【００３４】
雌端子１５１は、第１実施例の雄端子１１と同様に、Ｘ軸方向に延びている。雌端子１５１のＸ軸方向における一端１５１ａは、雌コネクタ１５０の先端とは反対側（即ち、Ｘ軸正方向）に位置している。一端１５１ａは、Ｚ字形状に折り曲げられている。Ｚ字形状のＸ軸正方向における端は、固定部材１５４により、雌側ケーブル１５２の一端とともに、雌ハウジング１５５に共締めされている。一端１５１ａのＺ字形状の部分を、以下、Ｚ字部１５９と称する。Ｚ字部１５９は、いわゆる板バネとして機能する。
【００３５】
一方、他端１５１ｂ（筒部１５１ｂ）は、第１実施例と同様に、筒状に形成されている。筒部１５１ｂは、雌ハウジング１５５に嵌合しているが、熱膨張／収縮の際にＸ方向に伸び縮みする余地があり、雌ハウジング１５５固定されてはいない。例えば、筒部１５１ｂをＸ軸正方向に押すと、Ｚ字部１５９が弾性変形する。そして、筒部１５１ｂがＸ軸正方向に移動する。即ち、筒部１５１ｂは、Ｘ軸方向に沿って自由に移動可能である。
【００３６】
雌ハウジング１５５の挿入部１５５ａの先端の側面には、開口１５５ｂが設けられている。開口１５５ｂの内側には、雌端子１５１が配置されており、筒部１５１ｂは開口１５５ｂから露出している。また、挿入部１５５ａには、一対の受け溝１５８ａ、１５８ｂが設けられている。一対の受け溝１５８ａ、１５８ｂは、それぞれ、挿入部１５５ａのＹ軸方向における一対の側面に配置されている。挿入部１５５ａが雄ハウジング１１５の収容部１１５ａに挿入されると、一対のスナップフィット１１８ａ、１１８ｂが、一対の受け溝１５８ａ、１５８ｂに引っ掛かり、挿入部１５５ａが収容部１１５ａから抜けることが防止される。また、雌ケース１５６のＹ軸正方向の側壁には、雄ケース１１６の固定穴１１７と一対一に対応する固定穴１５７が設けられている。
【００３７】
図６を参照して、雄コネクタ１１０と雌コネクタ１５０が嵌合した状態について説明する。図６に示すように、雄端子１１１の他端１１１ｂは、開口１５５ｂから露出している雌端子１５１の筒部１５１ｂ内に挿入される。他端１１１ｂが、筒部１５１ｂの奥まで挿入されると、筒部１５１ｂの先端が、雄端子１１１の折れ曲がった部分１１１ｃを介して、雄ハウジング１１５の内側面１１５ｂに当接する。さらに、雄コネクタ１１０が雌コネクタ１５０に向かって移動すると、Ｚ字部１５９が弾性変形するとともに、一対のスナップフィット１１８ａ、１１８ｂが、一対の受け溝１５８ａ、１５８ｂに引っ掛かる。そして、２つの固定穴１１７、１５７に、ねじ等の固定部材が挿入されると、雄ハウジング１５に対して雌ハウジング５５が固定される。
【００３８】
図６では、雄端子１１１と雌端子１５１の凸部１５３との接触箇所に符号Ｐ２が付されている。雄端子１１１の固定部材１１４は、凸部１５３から見てＸ軸負方向の側に位置している。一方、Ｚ字部１５９及び固定部材１５４は、凸部１５３から見てＸ軸正方向の側に位置している。即ち、固定部材１１４とＺ字部１５９は、凸部１５３から見て互いに反対方向に位置している。
【００３９】
本実施例の効果について説明する。雄端子１１１は、膨張により、他端１１１ｂが固定部材１１４から遠ざかるように、Ｘ軸正方向に延びる。一方、雌端子１５１は、筒部１５１ｂが雄ハウジング１１５に当接しているので、筒部１５１ｂのＸ軸負方向への移動は規制されている。このため、雌端子１５１は、膨張により、Ｚ字部１５９が形成されている一端１５１ａがＸ軸正方向に移動するように延びる。この場合、凸部１５３及び凸部１５３と接触している雄端子１１１の接触箇所も、同一方向（即ち、Ｘ軸正方向）に移動する。したがって、本実施例でも、第１実施例と同様に、雄端子１１１と雌端子１５１の熱膨張／収縮による摺動距離を短くすることができる。
【００４０】
また、雌端子１５１の凸部１５３は、膨張により、折れ曲がった部分１１１ｃに当接している筒部１５１ｂの先端を基点として移動する。その移動量は、距離Ｌ３と、雌端子１５１の線膨張係数と、雌端子１５１の温度上昇と、の積により算出される延び量に比例する。一方、雄端子１１１の凸部１５３との接触箇所も、折れ曲がった部分１１１ｃを基点として移動する。その移動量は、距離Ｌ３と、雄端子１１１の線膨張係数と、雄端子１１１の温度上昇と、の積により算出される延び量に比例する。このため、凸部１５３の移動量と接触箇所の移動量は同じ、若しくは、その差は小さい。したがって、本実施例でも、第１実施例と同様に、凸部１５３が雄端子１１１に対して相対的に移動する距離をさらに低減することができる。
【００４１】
また、雌端子１５１は、雄端子１１１に対して、熱膨張／収縮以外の要因、例えば、Ｘ軸方向の振動により、摺動する場合がある。本実施例では、筒部１５１ｂが、Ｚ字部１５９の弾性力により、雄ハウジング１１５に当接している。このため、雄端子１１１に対する雌端子１５１のＸ軸負方向の移動が規制される。したがって、Ｘ軸方向の振動により、雌端子１５１が雄端子１１１に対して摺動する距離も低減することができる。
【００４２】
（第３実施例）
図面を参照して第３実施例のコネクタ構造を説明する。本実施例のコネクタ構造は、雄コネクタ２１０と雌コネクタ２５０で構成される。
【００４３】
図７を参照して、雄コネクタ２１０について説明する。雄コネクタ２１０は、雄端子２１１と、雄ハウジング２１５と、雄ケース２１６と、を備えている。以下では、主に、第１実施例と異なる構成について説明する。
【００４４】
雄端子２１１は、Ｙ軸方向に延びている。雄端子２１１のＹ軸方向における一端２１１ａは、Ｘ軸負方向に折り曲げられている。そして、一端２１１ａは、固定部材２１４により、雄側ケーブ２１２の一端とともに、雄ハウジング２１５に共締めされている。一方、他端２１１ｂは、雄ハウジング２１５に接しているが、熱膨張／収縮の際にＹ方向に伸び縮みする余地があり、雄ハウジング２１５に固定されてはいない。
【００４５】
雄ハウジング１１５の収容部２１５ａには、第２実施例と同様に、一対のスナップフィット２１８ａ、２１８ｂが設けられている。雄ケース２１６のＹ軸正方向の側壁には、第２実施例と同様に、固定穴２１７が設けられている。
【００４６】
図８を参照して、雌コネクタ２５０について説明する。雌コネクタ１５０は、雌端子１５１と、雌ハウジング１５５と、雌ケース１５６と、を備えている。
【００４７】
雌端子２５１は、Ｙ軸方向に延びている。後に図９に図示するように、雄コネクタ２１０と雌コネクタ２５０が嵌合したとき、雌端子２５１は、雄端子２１１と平行に延びるようになる。雄端子２１１のＹ軸方向における一端２５１ａは、Ｘ軸正方向に折り曲げられている。そして、一端２５１ａは、固定部材２５４により、雌側ケーブ２５２の一端とともに、雌ハウジング２５５に共締めされている。
【００４８】
一方、他端２５１ｂは、雌ハウジング２５５に接しているが、熱膨張／収縮の際にＹ方向に伸び縮みする余地があり、雌ハウジング２５５に固定されてはいない。また、他端２５１ｂには、凸部２５３が設けられている。凸部２５３は、他端２５１ｂの一部を先端側へＶ字に折り曲げることで形成される。即ち、凸部２５３の頂部は、先端側に位置している。
【００４９】
雌ハウジング２５５の挿入部２５５ａの先端の側面には、開口２５５ｂが設けられている。開口２５５ｂの内側には、雌端子２５１が配置されており、凸部２５３は開口２５５ｂから露出している。また、挿入部２５５ａには、第２実施例と同様に、一対の受け溝２５８ａ、２５８ｂが設けられている。雌ケース２５６のＹ軸正方向の側壁には、第２実施例と同様に、固定穴２５７が設けられている。
【００５０】
図９を参照して、雄コネクタ２１０と雌コネクタ２５０が嵌合した状態について説明する。図９に示すように、雄コネクタ２１０と雌コネクタ２５０が嵌合したとき、雄端子２１１のＸ軸正方向における側面は、開口２５５ｂから露出している雌端子２５１の凸部２５３に接触する。
【００５１】
図９では、雄端子２１１と凸部２５３との接触箇所に符号Ｐ３が付されている。雄コネクタ２１０と雌コネクタ２５０が嵌合したとき、雄コネクタ２１０の固定部材２１４と、雌コネクタ２５０の固定部材２５４は、凸部２５３から見て同一の側（即ち、Ｙ軸正方向の側）に位置している。そして、固定部材２１４から接触箇所Ｐ３までのＹ軸方向における距離Ｌ５は、固定部材２５４のＹ軸方向における位置から接触箇所Ｐ３までのＹ軸方向における距離Ｌ６と、同じである。
【００５２】
本実施例の効果について説明する。本実施例でも、雄端子２１１及び雌端子２５１が同一方向（即ち、Ｙ軸負方向）に延びるので、第１実施例と同様の効果を奏することができる。さらに、距離Ｌ５と距離Ｌ６も同じであるので、第１実施例と同様に、更なる摺動距離の低減の効果を奏することができる。
【００５３】
以下、実施例で示した技術に関する留意点を述べる。凸部５３は、雄端子１１に設けられてもよい。即ち、雌端子と雄端子の一方に他方と接触する凸部が設けられていればよい。
【００５４】
固定部材５４が配置されている箇所が、「第２固定箇所」の一例である。例えば、雌端子５１の一端５１ａが雌ハウジング５５に埋め込まれることにより、一端５１ａが雌ハウジング５５に固定されてもよい。
【００５５】
第２実施例のＺ字部１５９が、「弾性部材」の一例である。例えば、雌端子１５１の一端１５１ａが、コイルバネを介して、雌ハウジング１５５に固定されていてもよい。
【００５６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５７】
１０、１１０、２１０：雄コネクタ
１１、１１１、２１１：雄端子
１１２、２１２      ：雄側ケーブル
１４                ：固定箇所
１１４、２１４      ：固定部材
１５、１１５、２１５：雄ハウジング
１６、１１６、２１６：雄ケース
５０、１５０、２５０：雌コネクタ
５１、１５１、２５１：雌端子
５２、１５２、２５２：雌側ケーブル
５３、１５３、２５３：凸部
５４、１５４、２５４：固定部材
５５、１５５、２５５：雌ハウジング
５６、１５６、２５６：雌ケース
１５９              ：Ｚ字部
【図１】
2018018594.tif 000003
【図２】
2018018594.tif 000004
【図３】
2018018594.tif 000005
【図４】
2018018594.tif 000006
【図５】
2018018594.tif 000007
【図６】
2018018594.tif 000008
【図７】
2018018594.tif 000009
【図８】
2018018594.tif 000010
【図９】
2018018594.tif 000011